(57)【特許請求の範囲】
【請求項１】
筐体と、前記筐体内に収納する消火剤充填容器と、一端が該消火剤充填容器に接続されて他端が消火用ノズルに接続されている消火用ホースと、前記筐体内の上部においてその幅方向に所定の間隔で取り付けられ、前記消火用ホースを懸架する複数のホース支持具とを備え、前記消火用ホースが前記複数のホース支持具に懸架されて筐体内に巻回して収納されている移動式消火装置であって、
更に、可動部を備え、前記複数のホース支持具が前記可動部に接続されており、前記複数のホース支持具が前記消火用ホースの引き出し力に応じて前記筺体の中心線に向かって向きを変えることができるようになした移動式消火装置において、
前記可動部は弾性体を備え、前記複数のホース支持具は正面方向の向きを定位とし、消火用ホースの引き出し力に応じて前記筺体の中心線に向かって向きを変えるようになしたことを特徴とする移動式消火装置。
【発明の詳細な説明】
【技術分野】
【０００１】
本発明は、移動式消火装置に関し、更に詳細には、消火用ホースの引き出し、特に左右方向への引き出しをスムーズに行うことができるようになした移動式消火装置に係わる。
【背景技術】
【０００２】
パッケージ型の移動式消火装置は、消火器のイメージで簡単に使え、しかも消火能力は消火栓なみのパワーを有するコンパクトな消火装置であり、建物の構造や立地条件等が原因で消火栓の配管等の設備工事ができない場所等に設置される。
【０００３】
また、斯かる移動式消火装置は、例えば、特許文献１に示されるように、筐体と、前記筐体内に収納する消火剤充填容器と、一端が該消火剤充填容器に接続されて他端が消火用ノズルに接続されている消火用ホースと、前記筐体内の上部においてその幅方向に所定の間隔で取り付けられ、前記消火用ホースを懸架する複数のホース支持具とを備え、前記消火用ホースが前記複数のホース支持具に懸架されて筐体内に巻回して収納されている。
【先行技術文献】
【特許文献】
【０００４】
【特許文献１】特開平１１−２９９９１８号公報
【発明の概要】
【発明が解決しようとする課題】
【０００５】
斯かる従来の移動式消火装置にあっては、火災発生時において筐体内から消火用ホースを引き出すときに、特に正面からずれて左右方向に引き出すときにおいて引き出しにくい場合があるという問題点がある。
【０００６】
それは、消火用ホース自体がガスの内圧に耐えられるように堅牢な作りとなっており、相当な重みを有すると共に折れ曲がりにくいことと、筐体内に幅方向に沿って取り付けられた複数のホース支持具が、いずれも正面方向に真直に向いて不動の状態に固定されていることによるものである。
【０００７】
即ち、消火用ホース自体が相当な重みを有すると共に折れ曲がりにくいことから、これを引き出す際にホース支持具との接触面での摩擦抵抗が大きく、また、特に消火用ホースを正面からずれて左右方向に引き出すときにおいては、各ホース支持具が正面方向に真直に向いていることから、消火用ホースが、引き出す方向と反対側に位置するホース支持具の先端に引っ掛かることによるものである。
【０００８】
本発明は上記の点に鑑みなされたものであって、筐体から消火用ホースを引き出すときに、特に正面からずれて左右方向に引き出すときにおいて、従来の装置におけるよりもはるかにスムーズに引き出すことができるようになした移動式消火装置を提供しようとするものである。
【課題を解決するための手段】
【０００９】
而して、本発明の要旨とするところは、筐体と、前記筐体内に収納する消火剤充填容器と、一端が該消火剤充填容器に接続されて他端が消火用ノズルに接続されている消火用ホースと、前記筐体内の上部においてその幅方向に所定の間隔で取り付けられ、前記消火用ホースを懸架する複数のホース支持具とを備え、前記消火用ホースが前記複数のホース支持具に懸架されて筐体内に巻回して収納されている移動式消火装置であって、
更に、可動部を備え、前記複数のホース支持具が前記可動部に接続されており、前記複数のホース支持具が前記消火用ホースの引き出し力に応じて前記筺体の中心線に向かって向きを変えることができるようになした移動式消火装置において、
前記可動部は弾性体を備え、前記複数のホース支持具は正面方向の向きを定位とし、消火用ホースの引き出し力に応じて前記筺体の中心線に向かって向きを変えるようになしたことを特徴とする移動式消火装置にある。
【発明の効果】
【００１０】
本発明は上記の如き構成であり、筐体内に幅方向に沿って取り付けられた複数のホース支持具の夫々が可動部に接続され、消火用ホースの引き出し力に応じて筺体の中心線に向かって向きを変えるように構成されているから、筐体から消火用ホースを引き出すときに、特に正面からずれて左右方向に引き出すときにおいて、消火用ホースのホース支持具への引っ掛かりが低減され、従来の装置におけるよりもはるかにスムーズに引き出すことができるようになるものである。
【００１１】
そしてまた、可動部は弾性体を備え、複数のホース支持具は正面方向の向きを定位とし、消火用ホースの引き出し力に応じて筺体の中心線に向かって向きを変えるようになしているから、消火用ホースの引き出しによって向きを変えられたホース支持具を、弾性体の作用によって定位の正面方向に戻すことができ、もって引き出された消火用ホースを巻き戻して再びホース支持具に懸架する作業をスムーズに行い易くなるものである。
【図面の簡単な説明】
【００１２】
【図１】本発明の第１実施形態に係る移動式消火装置の正面図である。
【図２】同ホース支持具部分の正面図である。
【図３】同ホース支持具部分の平面図である。
【図４】同ホース支持具部分の底面図である。
【図５】同一方のホース支持具の向きが変わった状態におけるホース支持具部分の正面図である。
【図６】同一方のホース支持具の向きが変わった状態におけるホース支持具部分の平面図である。
【図７】同一方のホース支持具の向きが変わった状態におけるホース支持具部分の底面図である。
【図８】本発明の第２実施形態に係る移動式消火装置におけるホース支持具部分の底面図である。
【図９】本発明の第３実施形態に係る移動式消火装置におけるホース支持具部分の底面図である。
【図１０】本発明の第４実施形態に係る移動式消火装置におけるホース支持具部分の底面図である。
【発明を実施するための形態】
【００１３】
以下、本発明を実施するための形態について、図面を参照して説明する。
【００１４】
先ず、図１乃至図７に示した本発明の第１実施形態について説明する。
【００１５】
図中、１は移動式消火装置である。また、該移動式消火装置１は、筐体２と、前記筐体２内に収納する消火剤充填容器３と、一端が該消火剤充填容器３に接続されて他端が消火用ノズル４に接続されている消火用ホース５と、前記筐体２内の上部においてその幅方向に所定の間隔で取り付けられ、前記消火用ホース５を懸架する複数のホース支持具６、６とを備え、前記消火用ホース５が前記複数のホース支持具６、６に懸架されて筐体２内に巻回して収納されてなるものである。
【００１６】
また、該移動式消火装置１は、ガス（例えば二酸化炭素）が加圧された状態で充填された消火剤充填容器３が２個並列して収納されており、火災発生時に、図示しない安全ピンを引き抜き、スイッチを押して容器弁開放器７を起動すると、図におけるレバー８の部分まで消火剤が送出される。尚、並列する２個の消火剤充填容器３、３は、そのうちのいずれかの容器弁開放器７が起動すると連動開放管９から他の容器弁開放器７に圧力がかかり、これにより両方の容器弁開放器７、７が起動するようになっている。そして、消火用ホース５を取り外し、これを引き出しながら火災現場に向かい、レバー８を操作することにより消火用ノズル４から消火剤を放出するものである。
【００１７】
また、前記複数のホース支持具６、６は、夫々消火用ホース５の引き出し力に応じて筺体２の中心線に向かって水平に向きを変えることができるようにするため、可動部１０に接続されている。
【００１８】
該可動部１０は、前記筐体２内の頂部に、該筐体２の幅方向に水平に固定された長方形の支持基板１１と、該支持基板１１の長さ方向の両端近傍の下面に、該支持基板１１の前縁側の位置に設けた支軸１２、１２をもって水平方向回動自在に取り付けられ、前記支軸１２と反対側の位置に垂直な回動規制ピン１４、１４を固定した長方形の回動板１３、１３と、前記支持基板１１に穿設されて、前記回動規制ピン１４、１４が夫々摺動自在に嵌合する、前記支軸１２、１２の夫々を中心とした円弧とし、一端側はホース支持具６が正面方向の定位にあるときに前記回動規制ピン１４、１４が夫々位置する位置とし、他端側はホース支持具６が消火用ホース５の引き出し力に応じて筺体２の中心線に向かって最大角度に回動したときに前記回動規制ピン１４、１４が夫々位置する位置としたガイド長孔１５、１５とをもって構成されている。
【００１９】
そして、前記ホース支持具６、６は、夫々Ｌ字形に形成され、その垂直部６ａの上端部を、前記可動部１０における回動板１３の、前記支軸１２と回動規制ピン１４とを結ぶ線上において接続され、その水平部６ｂは前記支軸１２と回動規制ピン１４とを結ぶ線に沿わせている。
【００２０】
また、本実施形態においては、前記支持基板１１の下面における前記回動板１３、１３の夫々の内側の位置にばね掛け体１６、１６を垂設し、該ばね掛け体１６、１６と前記ホース支持具６の垂直部６ａとの間に緊縮コイルばね１７、１７を張設している。これにより前記回動板１３、１３を、常時ホース支持具６が正面の定位を向くよう付勢している。そしてまたこれにより、前記回動板１３、１３が支軸１２、１２を支点として回動したときには、該緊縮コイルばね１７、１７の復元力により該回動板１３、１３を元の位置に戻すように作用するものである。
【００２１】
本実施形態は、上記の如き構成であり、消火用ホース５が引き出されたときには、図６に示す如く、ホース支持具６は消火用ホース５の引き出し力に応じて筺体２の中心線に向かって向きを変えるものである。したがって、筐体２から消火用ホース５を引き出すときに、特に正面からずれて左右方向に引き出すときにおいて、消火用ホース５のホース支持具６、６への引っ掛かりが低減され、従来の装置におけるよりもはるかにスムーズに引き出すことができるようになるものである。
【００２２】
また、消火用ホース５の引き出しによって向きを変えられたホース支持具６、６を、緊縮コイルばね１７、１７の作用によって図３に示す定位の正面方向に戻すことができるから、引き出された消火用ホース５を巻き戻して再びホース支持具６、６に懸架する作業をスムーズに行い易くなるものである。
【００２３】
次に、図８に示す本発明の第２実施形態について説明する。
【００２４】
本実施形態と前記第１実施形態とは、回動板１３、１３に対するばねによる付勢作用を変えた点において相違するものである。
【００２５】
即ち、本実施形態においては、支持基板１１の下面における回動板１３、１３の夫々の外側の位置にばね掛け体１６、１６を垂設し、該ばね掛け体１６、１６と前記ホース支持具６の垂直部６ａとの間に拡圧コイルばね１８、１８を張設しているものである。尚、その他の構成並びに作用は前記第１実施形態と同様であるから、同一の部材には同一の符号を付して詳細な説明は省略する。
【００２６】
次に、図９に示す本発明の第３実施形態について説明する。
【００２７】
本実施形態と前記第１実施形態とは、回動板１３、１３の夫々の支軸１２、１２の位置、ガイド長孔１５、１５の位置、並びに緊縮コイルばね１７、１７の位置において相違するものである。
【００２８】
即ち、本実施形態においては、回動板１３、１３の夫々の支軸１２、１２の位置が支持基板１１の後縁側であり、そして、これに伴い回動板１３、１３の夫々に固定した回動規制ピン１４が支持基板１１の前縁側となると共に、該回動規制ピン１４が摺動自在に嵌合するガイド長孔１５が回動板１３、１３の夫々の内側になる。そして更に、緊縮コイルばね１７が回動板１３、１３の夫々の外側になるものである。尚、その他の構成並びに作用は前記第１実施形態と同様であるから、同一の部材には同一の符号を付して詳細な説明は省略する。
【００２９】
次に、図１０に示す本発明の第４実施形態について説明する。
【００３０】
本実施形態と前記第１実施形態とは、回動板１３、１３の夫々の支軸１２、１２の位置、ガイド長孔１５、１５の位置、並びにばねの種類において相違するものである。
【００３１】
即ち、本実施形態においては、回動板１３、１３の夫々の支軸１２、１２の位置が支持基板１１の後縁側であり、そして、これに伴い回動板１３、１３の夫々に固定した回動規制ピン１４が支持基板１１の前縁側となると共に、該回動規制ピン１４が摺動自在に嵌合するガイド長孔１５が回動板１３、１３の夫々の内側になる。そして更に、第１実施形態における緊縮コイルばねから拡圧コイルばね１８に変わるものである。尚、その他の構成並びに作用は前記第１実施形態と同様であるから、同一の部材には同一の符号を付して詳細な説明は省略する。
【符号の説明】
【００３２】
１  移動式消火装置
２  筐体
３  消火剤充填容器
４  消火用ノズル
５  消火用ホース
６、６  ホース支持具
１０  可動部
１１  支持基板
１２、１２  支軸
１３、１３  回動板
１４、１４  回動規制ピン
１５、１５  ガイド長孔
１６、１６  ばね掛け体
１７、１７  緊縮コイルばね
１８、１８  拡圧コイルばね
【図１】
0006403315.tif 000002
【図２】
0006403315.tif 000003
【図３】
0006403315.tif 000004
【図４】
0006403315.tif 000005
【図５】
0006403315.tif 000006
【図６】
0006403315.tif 000007
【図７】
0006403315.tif 000008
【図８】
0006403315.tif 000009
【図９】
0006403315.tif 000010
【図１０】
0006403315.tif 000011